(57)【要約】【課題】作業員が装着している落下防止フックに、種々の資機材を吊り下げているロープを掛け止めしたときに、作業員が意図することなく、当該ロープがフックから外れて、資機材が落下してしまう事態の発生を確実に防止した、資機材用の落下防止フックを提供する。【解決手段】本発明は、鉤状のフック部と、軸支部を介してフック部に回動可能に取り付けられ、フック部が閉鎖した状態を維持するように弾性部材により付勢されている閉鎖金具により構成された資機材用の落下防止フックであり、閉鎖金具の基端部側にロック杆部を備え、該ロック杆部は、閉鎖金具の構成部材により被覆された状態で、その基端部が軸支部を介して閉鎖金具に回動可能に取り付けられていると共に、ロック杆部の先端部がフック部の構成部材に当接して、閉鎖金具がフック部を開放する方向に回動することを阻止している。【選択図】図１
2012021614.tif 000002
【特許請求の範囲】
【請求項１】
鉤状のフック部と、軸支部を介してフック部に回動可能に取り付けられ、フック部が閉鎖した状態を維持するように弾性部材により付勢されている閉鎖金具により構成された資機材用の落下防止フックであり、
閉鎖金具の基端部側にロック杆部を備え、該ロック杆部は、閉鎖金具の構成部材により被覆された状態で、その基端部が軸支部を介して閉鎖金具に回動可能に取り付けられていると共に、ロック杆部の先端部がフック部の構成部材に当接して、閉鎖金具がフック部を開放する方向に回動することを阻止していることを特徴とする、資機材用の落下防止フック。
【請求項２】
ロック杆部は、閉鎖金具がフック部を開放する方向に回動することを阻止するように弾性部材により付勢されている請求項１に記載の資機材用の落下防止フック。
【請求項３】
ロック杆部は、その先端部にフック部の構成部材を跨ぐ二股状の突出片を備え、両突出片の間に存在する接続板片の切り欠き部がフック部の構成部材に当接して、閉鎖金具がフック部を開放する方向に回動することを阻止している請求項１または２に記載の資機材用の落下防止フック。
【請求項４】
ロック杆部の突出片は、フック部の構成部材を超える長さを有している請求項３に記載の資機材用の落下防止フック。
【発明の詳細な説明】
【技術分野】
【０００１】
本発明は、例えば、様々な高所作業に従事する作業員のベルトに取り付けられて、種々の資機材を吊り下げているロープを掛け止めする、資機材用の落下防止フックである。
【０００２】
具体的には、この落下防止フックに、種々の資機材を吊り下げているロープを掛け止めしたときに、作業員が意図することなく、当該ロープがフックから外れて、資機材が落下してしまう事態の発生を確実に防止した、資機材用の落下防止フックに関するものである。
【背景技術】
【０００３】
例えば、作業員が送電鉄塔に昇って行う種々の高所作業等においては、資機材の落下を防止するために、種々の資機材にロープを接続し、この資機材を吊り下げているロープを、作業員のベルトに取り付けられている資機材用の落下防止フックに掛け止めする措置が採られている。
【０００４】
この作業員のベルトに取り付けられている、従来の資機材用の落下防止フックは、例えば、図７に示すように、鉤状のフック１００に、軸支部１０１を介して所定の閉鎖金具１０２を回動可能に取り付けて形成されている。この鉤状のフック１００は、所定の留め金具１０３を介して、作業員ＳのベルトＢに取り付けられている。
【０００５】
また、落下防止フックを構成する閉鎖金具１０２は、その基端部側に、軸支部１０４を介してロック杆部１０５を回動可能に取り付けている。このロック杆部１０５は、その先端部がフック１００の構成部材に当接することにより、作業員が意図することなく、閉鎖金具１０２がフック１００を解放するように回動することを阻止している。
【先行技術文献】
【特許文献】
【０００６】
【特許文献１】特になし
【発明の概要】
【発明が解決しようとする課題】
【０００７】
しかしながら、従来の資機材用の落下防止フックは、図７・図８に示すように、ロック杆部１０５の基端側部分から先端側部分にかけて、ロック杆部１０５の主要な構成部分が露出していることから、資機材を吊り下げている複数のロープＲ１・Ｒ２をフック１００に掛け止めしているときに、作業員Ｓが意図することなく、閉鎖金具１０２がフック１００を解放するように回動してしまう事態が生じていた。
【０００８】
具体的には、図８に示すように、資機材を吊り下げている２本のロープＲ１・Ｒ２をフック１００に掛け止めしているときに、一方のロープＲ１が、閉鎖金具１０２のロック杆部１０５寄りに移動することがある。
【０００９】
作業員Ｓは、送電鉄塔に昇って行う種々の高所作業において、複雑に組み合わされている鉄骨部材を避けながら狭い足場を移動するために、腰を屈めたり、膝を曲げたりして、姿勢を低くすることが多い。
【００１０】
このとき、所定の長さや大きさを有する資機材が足場に当たったり、鉄骨部材に引っ掛かったりして、資機材を吊り下げているロープＲ１・Ｒ２に対していろいろな方向の力が作用する。
【００１１】
その結果、例えば、図８に示すように、フック１００が持ち上げられたような状態で、閉鎖金具１０２のロック杆部１０５寄りに、ロープＲ１が強制的に移動させられてしまうことがある。
【００１２】
このとき、ロック杆部１０５の基端側部分から先端側部分にかけて、ロック杆部１０５の主要な構成部分が露出していることから、ロープＲ１がロック杆部１０５の側面に当たって、ロック杆部１０５の先端部を軸支部１０１寄りに回動させてしまうのである。
【００１３】
すると、図９に示すように、ロック杆部１０５の先端部がフック１００の構成部材から離れてロックが解除され、閉鎖金具１０２がフック１００を解放する方向に回動して、フック１００に掛け止めしているロープＲ２がフック１００から外れて、資機材が落下してしまう事態が生じていた。
【００１４】
また、軸支部１０１が存在している閉鎖金具１０２の基端側部分は、図８に示すように、略三角形状に形成されて、フック１００の構成部材に向けて突出していることから、図９に示すように、この突出部分１０６とフック１００の構成部材の間にロープＲ１が挟まってしまうと、ロック杆部１０５によるロックが解除されている状態と、閉鎖金具１０２がフック１００を解放している状態が、いずれも固定的に維持されてしまう。
【００１５】
その結果、フック１００に掛け止めしているロープＲ２が、フック１００から一層外れ易くなってしまい、資機材が落下してしまう事態が生じていたのである。
【００１６】
そこで、本発明は、如上のような従来存した諸事情に鑑み創出されたもので、作業員が装着している落下防止フックに、種々の資機材を吊り下げているロープを掛け止めしたときに、作業員が意図することなく、当該ロープがフックから外れて、資機材が落下してしまう事態の発生を確実に防止した、資機材用の落下防止フックを提供することを目的とする。
【課題を解決するための手段】
【００１７】
本発明は、鉤状のフック部と、軸支部を介してフック部に回動可能に取り付けられ、フック部が閉鎖した状態を維持するように弾性部材により付勢されている閉鎖金具により構成された資機材用の落下防止フックであり、
閉鎖金具の基端部側にロック杆部を備え、該ロック杆部は、閉鎖金具の構成部材により被覆された状態で、その基端部が軸支部を介して閉鎖金具に回動可能に取り付けられていると共に、ロック杆部の先端部がフック部の構成部材に当接して、閉鎖金具がフック部を開放する方向に回動することを阻止していることで、上述した課題を解決した。
【００１８】
また、ロック杆部は、閉鎖金具がフック部を開放する方向に回動することを阻止するように弾性部材により付勢されていることで、同じく上述した課題を解決した。
【００１９】
さらに、ロック杆部は、その先端部にフック部の構成部材を跨ぐ二股状の突出片を備え、両突出片の間に存在する接続板片の切り欠き部がフック部の構成部材に当接して、閉鎖金具がフック部を開放する方向に回動することを阻止していることで、同じく上述した課題を解決した。
【００２０】
また、ロック杆部の突出片は、フック部の構成部材を超える長さを有していることで、同じく上述した課題を解決した。
【発明の効果】
【００２１】
本発明は、鉤状のフック部と、軸支部を介してフック部に回動可能に取り付けられ、フック部が閉鎖した状態を維持するように弾性部材により付勢されている閉鎖金具により構成された資機材用の落下防止フックであり、
閉鎖金具の基端部側にロック杆部を備え、該ロック杆部は、閉鎖金具の構成部材により被覆された状態で、その基端部が軸支部を介して閉鎖金具に回動可能に取り付けられていると共に、ロック杆部の先端部がフック部の構成部材に当接して、閉鎖金具がフック部を開放する方向に回動することを阻止していることから、作業員が装着している落下防止フックに、種々の資機材を吊り下げているロープを掛け止めしたときに、作業員が意図することなく、当該ロープがフック部から外れて、資機材が落下してしまう事態の発生を確実に防止できる。
【００２２】
具体的には、閉鎖金具の基端部側にロック杆部を備え、該ロック杆部は、閉鎖金具の構成部材により被覆された状態で、その基端部が軸支部を介して閉鎖金具に回動可能に取り付けられていることから、資機材を吊り下げているロープに対していろいろな方向の力が作用して、例えば、図３に示すように、閉鎖金具のロック杆部寄りに、ロープが強制的に移動した場合であっても、ロープはロック杆部に触れることが無い。
【００２３】
即ち、ロック杆部は、閉鎖金具の構成部材（突出した一対の矩形板材）の内部に収容され、ロック杆部のほとんどの構成部材が閉鎖金具の構成部材（突出した一対の矩形板材）に被覆されているので、図４に示すように、移動してきたロープは、閉鎖金具の構成部材（突出した一対の矩形板材）に突き当たって停止するのである。
【００２４】
その為、ロック杆部の先端部がフック部の構成部材に当接している状態が維持され、閉鎖金具がフック部を開放する方向に回動することを阻止できるのである。
【００２５】
これに対し、フック部を開放する場合には、図５（ａ）に示すように、閉鎖金具の構成部材（突出した一対の矩形板材）に被覆されることなく露出しているロック杆部の両突出片が、フック部の直線棒部分を超える長さを有していることから、作業員は、図５（ｂ）に示すように、ロック杆部の両突出片を自身の指によりフック部の逆Ｕ字棒部分寄りに移動させ、ロック杆部を回動させる。
【００２６】
そして、閉鎖金具の先端部側をフック部内に向けて押し込んで閉鎖金具を回動させて、フック部を開放するのである。
【００２７】
また、ロック杆部は、閉鎖金具がフック部を開放する方向に回動することを阻止するように弾性部材により付勢されていることから、ロック杆部は、常にフック部を閉鎖している状態を維持することができる。
【００２８】
さらに、ロック杆部は、その先端部にフック部の構成部材を跨ぐ二股状の突出片を備え、両突出片の間に存在する接続板片の切り欠き部がフック部の構成部材に当接することにより、閉鎖金具がフック部を開放する方向に回動することを阻止することができる。
【図面の簡単な説明】
【００２９】
【図１】資機材用の落下防止フックの構成を示す斜視図である。
【図２】資機材用の落下防止フックの構成を示す分解斜視図である。
【図３】資機材用の落下防止フックに、種々の資機材を吊り下げている複数のロープを掛け止めしている状態を示す側面図である。
【図４】資機材を吊り下げているロープが、閉鎖金具の構成部材（突出した一対の矩形板材）に当接している状態を示す側面図である。
【図５】閉鎖金具の回動状態を示すもので、（ａ）はロック杆部の先端部がフック部の構成部材（直線棒部分）に当接して、閉鎖金具がフック部を開放する方向に回動することを阻止している状態の側面図、（ｂ）はロック杆部を回動させて、閉鎖金具がフック部を開放する方向に回動している状態を示す側面図である。
【図６】作業員による資機材用の落下防止フックの使用状態を示す斜視図である。
【図７】従来の資機材用の落下防止フックの構成を示す斜視図である。
【図８】従来の資機材用の落下防止フックにおいて、資機材を吊り下げているロープが、閉鎖金具の露出しているロック杆部に当接する状態を示す斜視図である。
【図９】従来の資機材用の落下防止フックにおいて、資機材を吊り下げているロープが、閉鎖金具の露出しているロック杆部に当接して、閉鎖金具がフック部を開放する方向に回動している状態を示す斜視図である。
【発明を実施するための形態】
【００３０】
以下に、本発明を実施するための形態を、図面を参照して詳細に説明する。
【００３１】
本発明に係る資機材用の落下防止フック１は、図１・図２に示すように、鉤状のフック部２と、フック部２に回動可能に取り付けられた閉鎖金具３により構成されている。また、閉鎖金具３は、ロック杆部４を備えている。
【００３２】
フック部２は、図２に示すように、所定の長さを有する直線棒部分２ａと、直線棒部分２ａの先端部側に連設した鉤棒部分２ｂと、直線棒部分２ａの基端部側に連設した逆Ｕ字棒部分２ｃより形成されている。
【００３３】
鉤棒部分２ｂと逆Ｕ字棒部分２ｃは、いずれもその先端部が対向するように折曲しているが、図２に示すように、鉤棒部分２ｂの方が緩やかに湾曲して、鉤棒部分２ｂの先端部が逆Ｕ字棒部分２ｃの先端部よりも外側に位置するように形成されている。また、鉤棒部分２ｂの先端部と、逆Ｕ字棒部分２ｃの先端部の間には、所定の空間を備えている。さらに、逆Ｕ字棒部分２ｃの先端部には、所定の孔２ｄが設けられている。
【００３４】
閉鎖金具３は、図１に示すように、逆Ｕ字棒部分２ｃの端部に回動可能に取り付けられて、鉤棒部分２ｂの先端部と、逆Ｕ字棒部分２ｃの先端部の間に存在している所定の空間を閉鎖している。
【００３５】
この閉鎖金具３は、図２に示すように、所定の長さを有する長方形の板部材３ａと、板部材３ａの長手方向に沿った両側に設けられている一対の垂設部材３ｂにより形成されている。そして、板部材３ａと、板部材３ａの長手方向に沿って設けられている一対の垂設部材３ｂの内側に、所定の幅の内部空間を設けている。
【００３６】
垂設部材３ｂは、図２に示すように、板部材３ａの略中間部分から先端側部分にかけて配置されている横長の矩形板材３ｃと、板部材３ａの略中間部分から基端側部分にかけて配置されている突出した矩形板材３ｄにより形成されている。
【００３７】
横長の矩形板材３ｃの先端部には、図１・図２に示すように、フック部２の鉤棒部分２ｂを両側から挟み込む爪片３ｅを設けている。
【００３８】
また、突出した矩形板材３ｄは、図２に示すように、傾斜状に配置されている板部材３ａの基端部において、横方向に延設された水平辺３ｆと、水平辺３ｆの先端部から下方に向けて延設された傾斜辺３ｇと、傾斜辺３ｇの下端部と横長の矩形板材３ｃの端部を接続する接続辺３ｈにより、傾斜状の略四角形部分を形成している。
【００３９】
さらに、突出した矩形板材３ｄには、図２に示すように、板部材３ａと水平辺３ｆが接続している端部の近傍に、所定の孔３ｉを設けている。この孔３ｉは、閉鎖金具３を、フック部２の逆Ｕ字棒部分２ｃに回動可能に取り付けるために用いられるものである。
【００４０】
また、突出した矩形板材３ｄには、孔３ｉから若干離れるようにして、板部材３ａの近傍に他の孔３ｊを設けている。この孔３ｊは、閉鎖金具３に、ロック杆部４を回動可能に取り付けるために用いられるものである。
【００４１】
閉鎖金具３を、フック部２の逆Ｕ字棒部分２ｃに回動可能に取り付けるときには、図１・図２に示すように、閉鎖金具３の内部空間にフック部２の逆Ｕ字棒部分２ｃを収容して、フック部２の孔２ｄの両側に閉鎖金具３の孔３ｉを宛がう。
【００４２】
そして、閉鎖金具３の孔３ｉとフック部２の孔２ｄを貫通するように棒状の軸支部５Ａを配置して、閉鎖金具３を、フック部２の逆Ｕ字棒部分２ｃに回動可能に取り付ける。このとき、図２に示すように、フック部２の逆Ｕ字棒部分２ｃと、閉鎖金具３の間に、所定のバネ材である弾性部材６Ａを介在させて、閉鎖金具３は、フック部２が閉鎖した状態を維持するように付勢されている。
【００４３】
具体的には、図１に示すように、フック部２の鉤棒部分２ｂに、閉鎖金具３の板部材３ａの先端部が当接し、閉鎖金具３の両爪片３ｅが鉤棒部分２ｂを両側から挟み込んだ状態により、閉鎖金具３は、鉤棒部分２ｂの先端部と、逆Ｕ字棒部分２ｃの先端部の間に存在している所定の空間を閉鎖している。
【００４４】
この閉鎖金具３の取り付け状態において、閉鎖金具３の突出した一対の矩形板材３ｄは、図３に示すように、傾斜辺３ｇがフック部２の逆Ｕ字棒部分２ｃ寄りの直線棒部分２ａに沿うように配置されて、フック部２内の空間を、鉤棒部分２ｂ側と逆Ｕ字棒部分２ｃ側に分断している。
【００４５】
また、閉鎖金具３のロック杆部４は、図１・図３に示すように、一対の矩形板材３ｄの内部に収容され、ほとんどの構成部材が一対の矩形板材３ｄに被覆された状態で、閉鎖金具３に回動可能に取り付けられている。
【００４６】
ロック杆部４は、図１・図３に示すように、ロック杆部４の先端部がフック部２の逆Ｕ字棒部分２ｃ寄りの直線棒部分２ａに当接して、閉鎖金具３がフック部２を開放する方向に回動することを阻止するものである。
【００４７】
このロック杆部４は、図２に示すように、所定の長さを有する一対の側壁４ａと、一対の側壁４ａの下縁部を接続する接続板片４ｂにより形成されている。接続板片４ｂは、長方形の板状に形成されて、先端部にＵ字状の切り欠き部４ｃを設けている。
【００４８】
また、一対の側壁４ａは、図２に示すように、所定の長さを有する横長の板状に形成され、先端部から基端部側にかけて次第に高さを増すように形成されている。さらに、一対の側壁４ａの基端部側の上部には、所定の孔４ｄを設けている。このロック杆部４は、一対の側壁４ａの両先端部が、接続板片４ｂの切り欠き部４ｃを介して、二股状の突出片４ｅを形成している。
【００４９】
ロック杆部４を、閉鎖金具３に回動可能に取り付けるときには、図１・図２に示すように、閉鎖金具３の内部空間にロック杆部４を収容して、ロック杆部４の孔４ｄの両側に、閉鎖金具３の孔３ｊを宛がう。
【００５０】
そして、閉鎖金具３の孔３ｊとロック杆部４の孔４ｄを貫通するように棒状の軸支部５Ｂを配置して、ロック杆部４を閉鎖金具３に回動可能に取り付ける。このとき、図２に示すように、ロック杆部４と閉鎖金具３の間に、所定のバネ材である弾性部材６Ｂを介在させて、ロック杆部４は、閉鎖金具３がフック部２を開放する方向に回動することを阻止するように付勢されている。
【００５１】
ロック杆部４は、図１・図３に示すように、閉鎖金具３を構成する一対の矩形板材３ｄの内部に収容され、一対の側壁４ａと接続板片４ｂのほとんどの構成部材が一対の矩形板材３ｄに被覆された状態で、閉鎖金具３に回動可能に取り付けられている。
【００５２】
そして、図３に示すように、先端部に位置しいている両突出片４ｅが、一対の矩形板材３ｄに被覆されることなく露出しており、フック部２の逆Ｕ字棒部分２ｃ寄りの直線棒部分２ａを跨いで、両突出片４ｅの間に存在する接続板片４ｂの切り欠き部４ｃがフック部２の直線棒部分２ａに当接して、閉鎖金具３がフック部２を開放する方向に回動することを阻止している。
【００５３】
また、ロック杆部４の突出片４ｅは、図３に示すように、フック部２の直線棒部分２ａを超える長さを有している。
【００５４】
この様に構成された資機材用の落下防止フック１は、図１・図６に示すように、所定の留め金具１０とリング部材１１を介して、作業員ＳのバンドＢに取り付けられている。
【００５５】
また、作業員Ｓは、図６に示すように、工具袋やその他の資機材を吊り下げている複数のロープＲ１・Ｒ２をフック２に掛け止めした状態で、様々な作業を実施する。
【００５６】
このとき、作業員Ｓは、送電鉄塔に昇って行う種々の高所作業において、複雑に組み合わされている鉄骨部材を避けながら狭い足場を移動するために、腰を屈めたり、膝を曲げたりして、姿勢を低くすることが多い。
【００５７】
そのため、資機材が足場に当たったり、鉄骨部材に引っ掛かったりして、資機材を吊り下げているロープＲ１・Ｒ２に対していろいろな方向の力が作用して、例えば、図３に示すように、フック２が持ち上げられたような状態で、閉鎖金具３のロック杆部４寄りに、ロープＲ１が強制的に移動してしまうことがある。
【００５８】
このとき、ロック杆部４は、閉鎖金具３を構成している一対の矩形板材３ｄの内部に収容され、ほとんどの構成部材が一対の矩形板材３ｄに被覆された状態で、閉鎖金具３に回動可能に取り付けられていることから、図４に示すように、移動してきたロープＲ１は、閉鎖金具３の矩形板材３ｄに突き当たって停止し、ロック杆部４に触れることが無い。
【００５９】
その為、ロック杆部４の先端部に位置している両突出片４ｅが、フック部２の逆Ｕ字棒部分２ｃ寄りの直線棒部分２ａを跨いで、両突出片４ｅの間に存在する接続板片４ｂの切り欠き部４ｃがフック部２の直線棒部分２ａに当接して、閉鎖金具３がフック部２を開放する方向に回動することを阻止できるのである。
【００６０】
その結果、作業員Ｓが意図することなく、フック部２に掛け止めしているロープＲ１・Ｒ２がフック部２から外れて、資機材が落下してしまう事態の発生を確実に防止できる。
【００６１】
これに対し、フック部２を開放する場合には、図５（ａ）に示すように、一対の矩形板材３ｄに被覆されることなく露出しているロック杆部４の両突出片４ｅが、フック部２の直線棒部分２ａを超える長さを有していることから、作業員Ｓは、図５（ｂ）に示すように、ロック杆部４の両突出片４ｅを自身の指によりフック部２の逆Ｕ字棒部分２ｃ寄りに移動させ、ロック杆部４を回動させる。
【００６２】
次に、閉鎖金具３の先端部側をフック部２内に向けて押し込んで閉鎖金具３を回動させて、フック部２を開放するのである。
【産業上の利用可能性】
【００６３】
本発明に係る資機材用の落下防止フックは、種々の資機材を吊り下げているロープを掛け止めしたときに、作業員が送電鉄塔に昇って行う高所作業以外の様々な作業現場において、作業員が意図することなく、当該ロープがフックから外れて、資機材が落下してしまう事態の発生を確実に防止できる資機材用の落下防止フックとして、幅広く利用することができる。
【符号の説明】
【００６４】
Ｓ…作業員
Ｂ…ベルト
Ｒ１…ロープ
Ｒ２…ロープ
１…落下防止フック
２…フック部
３…閉鎖金具
２ａ…直線棒部分
２ｂ…鉤棒部分
２ｃ…逆Ｕ字棒部分
２ｄ…孔
３ａ…板部材
３ｂ…垂設部材
３ｃ…横長の矩形板材
３ｄ…突出した矩形板材
３ｅ…爪片
３ｆ…水平辺
３ｇ…傾斜辺
３ｈ…接続辺
３ｉ…孔
３ｊ…孔
４…ロック杆部
４ａ…側壁
４ｂ…接続板片
４ｃ…切り欠き部
４ｄ…孔
５Ａ…軸支部
５Ｂ…軸支部
６Ａ…弾性部材
６Ｂ…弾性部材
１０…留め金具
１１…リング部材
１００…鉤状のフック
１０１…軸支部
１０２…閉鎖金具
１０３…留め金具
１０４…軸支部
１０５…ロック杆部
１０６…突出部分
【図１】
2012021614.tif 000003
【図２】
2012021614.tif 000004
【図３】
2012021614.tif 000005
【図４】
2012021614.tif 000006
【図５】
2012021614.tif 000007
【図６】
2012021614.tif 000008
【図７】
2012021614.tif 000009
【図８】
2012021614.tif 000010
【図９】
2012021614.tif 000011